(57)【要約】  本発明は筆記用具に関し、この筆記用具は、筆記チップを備えた前端部(２ａ)と後端部とをつなぐ中心軸線(Ｘ)に沿って延在する本体部(２)であって、グリップ領域を有すると共に相互に組み合わされた少なくとも第１および第２の要素(９,１０)を具備してなる本体部(２)と、グリップ領域を少なくとも部分的に覆う筒状のグリップスリーブ(７)とを具備してなる。グリップスリーブ(７)は中心軸線(Ｘ)に向って突出する凸部を有し、かつ本体部の第１および第２の要素(９,１０)は、スリーブの凸部を収容するよう構成されたハウジング(３２)を形成しており、凸部はハウジング内で、組み合わされた第１および第２の要素によって挟持されている。
2008512279.tif 000002
【特許請求の範囲】
【請求項１】
筆記用具であって、
筆記チップを備えた前端部(２ａ)と後端部(２ｂ)との間をつなぐ中心軸線(Ｘ)に沿って延在する本体部(２)であって、グリップ領域(５)を有すると共に、一つに組み合わされた少なくとも第１および第２の要素(９,１０)を具備してなる本体部(２)と、
前記グリップ領域を少なくとも部分的に覆う筒状のグリップスリーブ(７)と、を具備してなり、
前記グリップスリーブ(７)は、前記中心軸線(Ｘ)に向って突出する少なくとも一つの凸部(３０)を有し、かつ
前記第１および第２の本体部要素(９,１０)は、前記スリーブの前記凸部を収容するよう構成されたハウジング(３２)を形成しており、前記凸部(３０)は、前記ハウジング内で、一つに組み合わされた前記第１および第２の要素によって挟持されていることを特徴とする筆記用具。
【請求項２】
前記第１および第２の要素(９,１０)は筒状であり、かつ前記本体部(２)の連続した長尺なセクションを形成しており、両者の間で、前記スリーブ(７)の前記凸部(３０)が前記中心軸線(Ｘ)と平行な方向に挟持されていることを特徴とする請求項１に記載の筆記用具。
【請求項３】
前記第１の要素(９)は環状の長手方向端面(２５)を有し、かつ前記第２の要素(１０)はその外壁に半径方向環状面(１４)を有し、この環状面(１４)は前記第１の要素の前記端面(２５)と向き合うよう配置されており、かつ筒状部(１６)が前記環状面から延在すると共に、この筒状部(１６)は前記第１の要素(９)と係合するよう構成されていることを特徴とする請求項１または請求項２に記載の筆記用具。
【請求項４】
前記第１の要素(９)は第１の周縁面(２７)を有し、前記第１の要素(９)は、そこから、前記第２の要素(１０)の側方に配置された端部(９ｂ)まで実質的に円筒形である外壁を有しており、かつ前記第２の要素(１０)は第２の周縁面(２８)を有し、前記第２の要素(１０)は、そこから、前記第１の要素(９)に向って延在すると共に前記第１の要素の前記外側円筒形部分の直径と実質的に等しい直径を有する、実質的に円筒形である外側部分を有しており、前記第１および第２の面(２７,２８)は前記本体部(２)に環状凹部を形成しており、ここに前記スリーブ(７)が配置されるようになっていることを特徴とする請求項１ないし請求項３のいずれか１項に記載の筆記用具。
【請求項５】
前記第１および第２の要素(９;１０)の一方は少なくとも一つの突出部(１８)を有しており、かつ前記要素(９;１０)の他方は前記突出部と協働するよう構成された凹部(１９)を有しており、前記第１および第２の要素(９,１０)は、そのそれぞれの部分(１８,１９)を一つにネジ留めすることによって組み立てられていることを特徴とする請求項１ないし請求項４のいずれか１項に記載の筆記用具。
【請求項６】
前記第１および第２の要素(９;１０)の一方は、前記中心軸線(Ｘ)に沿って延在する、ネジ立てされた部分(２３)を有しており、かつ前記要素(９;１０)の他方は、前記ネジ立て部分に対して相補的なネジ山部分(２２)を有しており、前記第１および第２の要素(９,１０)はネジ留めによって一つに組み立てられていることを特徴とする請求項１ないし請求項４のいずれか１項に記載の筆記用具。
【請求項７】
前記第１の要素(９)は当接部(９ｂ)を有しており、この当接部(９ｂ)は前記第２の要素(１０)に当接して、前記第１の要素と前記第２の要素との係合を制限するようになっていることを特徴とする請求項１ないし請求項６のいずれか１項に記載の筆記用具。
【請求項８】
前記グリップスリーブ(７)は、フレキシブルであってかつ弾力性を有するプラスチック素材から、好ましくはエラストマーからなることを特徴とする請求項１ないし請求項７のいずれか１項に記載の筆記用具。
【請求項９】
前記グリップスリーブ(７)の前記凸部(３０)は、その三分の一から三分の二の間で長手方向に配置されていることを特徴とする請求項１ないし請求項８のいずれか１項に記載の筆記用具。
【請求項１０】
前記スリーブの前記凸部(３０)は、前記中心軸線(Ｘ)と直交する平面内で延在する連続した環状壁であることを特徴とする請求項１ないし請求項９のいずれか１項に記載の筆記用具。
【請求項１１】
前記本体部の前記グリップ領域(５)は第１の窓を有し、かつ前記グリップスリーブ(７)は、前記第１の窓と整列するよう配置された第２の窓(３６)を有し、前記第１および第２の窓には、それを経て突出する、前記本体部(２)内に配置された芯押し出し機構を操作するための可動操作部材(３５)が設けられていることを特徴とする請求項１ないし請求項１０のいずれか１項に記載の筆記用具。
【発明の詳細な説明】
【技術分野】
【０００１】
本発明は筆記用具に関し、さらに詳しくは、
・筆記チップを備えた前端部と後端部とをつなぐ中心軸線に沿って延在する本体部であって、グリップ領域を有すると共に、一つに組み合わされた少なくとも第１および第２の要素を具備してなる本体部と、
・グリップ領域を少なくとも部分的に覆う筒状のグリップスリーブと、
を具備してなる筆記用具に関する。
【背景技術】
【０００２】
ユーザーにとっての使い心地を改善するために、筆記用具のグリップ領域を、概してフレキシブルなプラスチック素材からなるスリーブで覆うことが知られている。だが、筆記用具の本体部(これは概して、たとえば硬質プラスチックあるいは金属のような、グリップスリーブとは異なる素材からなる)に、そうしたスリーブを嵌め込み固定しようとすると、ある問題が生じる。
【０００３】
例を挙げると、グリップスリーブが本体部の長手方向に動くのを阻止するために、環状の凹部が本体部のグリップ領域に形成され、そして筒状スリーブが少なくとも部分的にその内部に収容される。だが、スリーブがある大きさの力で凹部に対して締め付け状態で定着するよう、そしてグリップスリーブが通常の使用では外れないように、環状凹部の直径よりも僅かに小さな直径を有する弾性素材からなるスリーブを提供することが一般に必要である。これは、特に、組み立てが自動で実施される場合、および環状凹部の直径よりも著しく大きな外径を有する部分を越えて本体部に沿ってスリーブをスライドさせる必要がある場合に、スリーブを適所に配置するのを一層困難なものとする。
【０００４】
その上、特に筆記用具の、手の中での感触を一層心地よいものとするために、スリーブの本体部に対する回転を阻止することが多くの場合好ましい。このため一般に、本体部の環状凹部に沿って長手方向に延在する、輪郭がくっきりと浮かび上がった凸部または凹部が、グリップスリーブの内壁の、輪郭がくっきりと浮かび上がった相補的部分と共に形成され、この結果、輪郭がくっきりと浮かび上がった、これらの部分同士の協働作用によってスリーブの回転が抑えられる。だが、そうした輪郭がくっきりと浮かび上がった部分の存在は、本体部およびスリーブの製造を複雑なものとし、そして一般には、輪郭がくっきりと浮かび上がった部分同士を確実に申し分なく協働させるために、スリーブが本体部に対して、かなりしっかりと締め付け状態で定着するよう工夫を施すことが必要である。特許文献１には、グリップスリーブを静止状態で保持するための、この種の手法が開示されている。
【０００５】
あるグリップスリーブは、二重射出技術を用いて、上記二つの部品を成形する間に型内で本体部に対して固定される。だが、この成形技術は実施が容易ではなく、しかも概して製造コストを著しく増大させる。
【特許文献１】米国特許出願公開第5 971 644号明細書(US-A-5 971 644)
【発明の開示】
【発明が解決しようとする課題】
【０００６】
本発明の目的は、筆記用具の本体部上でのグリップスリーブの取り付けおよび固定状態を改善することである。
【課題を解決するための手段】
【０００７】
この目的のために本発明は、先に詳述したタイプの筆記用具を提供するが、このものでは、グリップスリーブが中心軸線に向って突出する少なくとも一つの凸部を有し、かつ第１および第２の本体部要素が、スリーブの凸部を収容するよう構成されたハウジングを形成しており、凸部は、ハウジング内で、一つに組み合わされた第１および第２の要素によって挟持されることを特徴とする。
【０００８】
その組み立ての間中、筆記用具の二つの要素間でグリップスリーブの凸部を挟持することによって、中心軸線に沿った平行移動に関しておよびこの軸線を中心とする回転に関して、スリーブを静止状態で保持することが可能である。さらに、十分に大きな締め付け力を付与することで、第１および第２の本体部要素を分解しなければ、グリップスリーブを取り外すのは極めて困難なものとなる。グリップスリーブを本体部の周囲に緊密な締め付け状態で定着させる必要はないが、スリーブが本体部に対して十分に押し付けられた状態のままでいるよう、ある程度の弾力的締め付けが生じるようにすることが好ましいであろうことを理解されたい。
【０００９】
本発明の好ましい実施形態では、以下の構成の一つ以上を採用してもよい。
・第１および第２の要素は筒状であり、かつ本体部の連続した長尺なセクションを形成しており、両者の間でスリーブの凸部が中心軸線と平行な方向に挟持される。
・第１の要素は環状の長手方向端面を有し、かつ第２の要素はその外壁に半径方向環状面を有し、この環状面は第１の要素の端面と向き合うよう配置されており、かつ筒状部が環状面から延在すると共に、この筒状部は第１の要素と係合するよう構成されている。
・第１の要素は第１の周縁面を有し、第１の要素は、そこから、第２の要素の側方に配置された端部まで実質的に円筒形である外壁を有しており、かつ第２の要素は第２の周縁面を有し、第２の要素は、そこから、第１の要素に向って延在すると共に第１の要素の外側円筒形部分の直径と実質的に等しい直径を有する実質的に円筒形である外側部分を有しており、第１および第２の面は本体部の環状凹部を形成しており、ここにグリップスリーブが配置されるようになっている。
・第１および第２の要素の一方は少なくとも一つの突出部を有しており、かつ要素の他方は突出部と協働するよう構成された凹部を有しており、第１および第２の要素は、そのそれぞれの部分を一つにネジ留めすることによって組み立てられており、これによって、スリーブの凸部が、ネジ式結合状態にある第１および第２の要素間の距離によって正確に決定される力で確実に締め付けられるように(挟持されるように)なり、さらにこれら二つの要素を、事実上分離できない様式で、確実に一つに組み合わせることが可能となる。
・第１および第２の要素の一方は中心軸線に沿って延在する、ネジ立てされた部分を有しており、かつこれら要素の他方はネジ立て部分に対して相補的なネジ山部分を有しており、第１および第２の要素はネジ留めによって一つに組み立てられ、グリップスリーブの凸部は第１および第２の要素間で挟み込み状態で締め付けられており(挟持されており)、これによってネジ式結合がブロックされ、そしておそらくはその弾力性により早期のネジの緩みが回避される。
・第１の要素は当接部を有しており、この当接部は、スリーブを締め付ける力を制限するために、第２の要素と係合し、この第２の要素が第１の要素と係合できる程度を制限するようになっている。
・グリップスリーブは、フレキシブルであってかつ弾力性を有するプラスチック素材から、好ましくはエラストマーからなる。
・グリップスリーブの凸部は、その三分の一から三分の二の間で長手方向に配置されている。
・スリーブの凸部は、中心軸線と直交する平面内で延在する連続した環状壁であり、これによって成形が一層容易なものとなっている。
・本体部のグリップ領域は第１の窓を有し、グリップスリーブは、第１の窓と整列するよう配置された第２の窓を有し、第１および第２の窓には、それを経て突出する、本体部内に配置された芯押し出し機構を操作するための可動操作部材が設けられている。
【００１０】
本発明のこれ以外の特徴および利点は、非限定的実例として提示した以下の説明および添付図面から明らかとなるであろう。
【発明を実施するための最良の形態】
【００１１】
各図において、同一の参照数字は、同一または類似の要素を指し示すのに用いている。
【００１２】
図１には本体部を有する筆記用具１を示すが、本体部２は、前端部２ａと後端部２ｂとをつなぐ中心軸線Ｘに沿って長手方向に延在している。図示の実施形態では、筆記用具はシャープペンシル(押し出し式ペンシル)であり、それは本体部２内に、芯押し出し機構(図示せず)を内蔵しており、この機構は、本体部の前端部２ａに配置された孔３を通って芯を前進させることを可能とする。だが本発明は、グリップ領域を持つ、いかなるタイプの筆記用具に対しても、たとえばボールペンあるいはフェルトペンに対して、ポイントあるいはチップが前端部２ａに固定的に配置されているかどうかまたはそれが本体部内に格納可能であるかどうかに関わらず、応用可能である。
【００１３】
本体部２はグリップ領域５を有するが、これによって本用具は、ユーザーが筆記している間、無理なく保持される。グリップ領域５は、本体部の前部ノーズ９を形成している円錐部分の基部から後部２ｂに向って、筆記用具の長さの約３分の１にわたって延在している。だが、用具の寸法および形状次第で、グリップ領域５は、著しく異なる領域を覆うことができる(ただしグリップ領域は、少なくとも筆記中にユーザーによって保持される部分を覆う必要がある)。
【００１４】
グリップ領域５は、外面７ａを有するグリップスリーブ７によって覆われるが、この外面７ａは概ね円筒形であり、図示の実施形態では浅いエンボス(凹部)８を有する。当然のことながら、スリーブの外面７ａは、著しく変化する外径を備えた、あるいはより際立った突出あるいは引っ込みエンボス８を備えた、さらに複雑な形状を有していてもよい。
【００１５】
スリーブ７は、フレキシブルであり(すなわち比較的容易に変形可能であり)、そしていったん変形した後にその本来の形状へと復帰すると共に本体部２にある大きさの把持力を加えるような弾力性を有するプラスチック素材からなる(以下で説明する)。例として、それはシリコーンを含むエラストマーから構成できる。
【００１６】
本体部２は二つの要素から、すなわち前部ノーズを形成する第１の要素９と、ノーズ９から本体部の後端部２ｂまで延在するシャンクを形成する第２の要素１０とからなる。したがってノーズ９とシャンク１０は、本体部の二つの連続した長手方向セクションを構成している。本体部２は二つ以上の要素から形成でき、しかも当然のことながら、ノーズ９およびシャンク１０をそれぞれ指し示す「第１の」要素および「第２の」要素との用語は、逆にすることも、あるいは本体部の端部まで完全には延在していない要素に対して用いることもできる。
【００１７】
本体部２はその上に装着されたクリップ１１を有するが、このクリップ１１はシャンク１０と係合する環状ベースを有し、そして本体部２は後端部２ｂにおけるハウジング内に設けられた消しゴム１２を有する。
【００１８】
ノーズ９および本体部１０は中空内部空間を形成する筒状部品であり、この中に、芯ホルダーおよび公知のタイプであって図示していない芯押し出し機構が配置されている。だが、本発明が適用される筆記用具の種類次第では、本体部２内の空間には、当然のことながら、インクリザーバおよび／または筆記チップの突出／格納用機構を収容できる。
【００１９】
ノーズ９とシャンク１０とは一つに組み合わされてペンの本体部２を形成しており、しかも、これは、図２および図３に示す実施形態のそれぞれに対応する二つの異なる方式で行うことができる。
【００２０】
図２に示す実施形態では、ノーズ９およびシャンク１０はスナップ式結合(嵌合)によって一つに組み合わされている。シャンク１０はその外壁に半径方向環状面１４を有し、そこから、より小さな直径の部分１６がシャンクの前端部１０ａまで延在している。シャンクの部分１６は、ノーズ９の後部１７内にぴったり嵌まるように挿入されるよう構成された外壁を有する。その外面において、シャンクの部分１６は、輪郭がくっきりと浮かび上がった突出部１８を含むが、この突出部１８は、図示の実施形態では、外周ビードの形態である。ノーズ９の部分１７の内壁は、ビード１８に対して相補的な、輪郭がくっきりと浮かび上がった凹部１９を有し、その中には、シャンク１０をノーズ９内に所定の長さにわたって押し込んだときに、ビード１８がカチッと嵌まり込む(嵌合する)。輪郭がくっきりと浮かび上がった部分１８および１９の相互係合によって、シャンク１０が、後端部２ｂに向って、ノーズ９に対して後退するのが阻止される。図示の実施形態では、輪郭がくっきりと浮かび上がった部分１８および１９間の協働作用によってまた、シャンク１０が、本体部の前端部２ａに向かって、ノーズ９に対して前方に移動するのが阻止され、この結果、シャンク１０がノーズ９と係合可能な程度を規制する。だが、前方移動の阻止は絶対に不可欠なものではない。輪郭がくっきりと浮かび上がったスナップ式結合(嵌合)部分１８および１９は著しく異なる形状のものであってもよい。たとえば、シャンクの部分１６の起伏は、(弾性タブ上に設けることが可能な)スタッドの形態とすることができ、それぞれは、中心軸線Ｘに対して傾斜した前端部２ａの方を向く面、およびノーズ９の部分１７に形成された窓の後端と係合する後端部２ｂの方を向く半径方向面を有する。ノーズ９をシャンク１０とスナップ式結合(嵌合)させるのに必要な力は、好ましくは、ユーザーが手で分解できない程度に十分に強いものである。
【００２１】
図３に示す実施形態では、ノーズ９およびシャンク１０はネジ式結合によって組み合わされている。このために、シャンクの部分１６はその半径方向外面にネジ(雄ネジ)２２を有し、しかもノーズ９の部分１７はその半径方向内面にあってかつネジ２２と相補的な雌ネジ２３を有する。
【００２２】
ノーズ９は、シャンク１０の半径方向面１４と当接する当接部を形成する後端部９ｂを有しており、これによって、たとえグリップスリーブ７が存在しなくても、ネジ式結合によってシャンク１０がノーズ９と係合できる程度が所定の深さに制限されることに留意されたい。
【００２３】
ノーズ９は、中心軸線Ｘに関して半径方向に延在すると共にシャンク１０の環状面１４に面するよう配置された環状面２５を有する。図示の実施形態では、環状面２５は、本体部の後端部２ｂの方を向くノーズ９の端面によって形成されている。図３に示す実施形態では、環状面２５は、ノーズの後端部９ｂから所定の距離をおいて配置された半径方向面によって形成されている。
【００２４】
シャンク１０の部分１６は所定の長さにわたってノーズ９の部分１７と係合しているので、ノーズ９の環状面２５は、要素９および１０が一つに組み合わされた状態で中心軸線Ｘに沿って測ったとき、所定の距離「ｄ」だけシャンクの面１４から離間している。
【００２５】
さらに、ノーズ９は、その全周囲を取り囲むように延在する半径方向の面２７を備え、この結果、その部分１７は外径が小さなものとなっている。同様に、シャンク１０はその周囲を取り囲むように延在する半径方向の面２８を有し、この結果、面２８と面１４との間で延在するシャンクの一部分は、面２８から後端部２ｂに向って延在するシャンクの一部分の外径よりも小さな外径を有するようになっている。この部分の直径は部分１７の外径と実質的に等しく、この結果、当該部分の円筒形外面は、部分１７の円筒形外面と整列状態で延在するようになっている。
【００２６】
面２７および２８は、それゆえ、組み立てられた本体部２の全周囲にわたって延在し、かつグリップ領域５をカバーする(グリップ領域５に跨る)環状凹部を形成している。
【００２７】
グリップスリーブ７は、面２７および２８によって画定される環状凹部の外径よりも僅かに小さな直径を持つ円筒形の半径方向内面７ｂを有し、この結果、スリーブ７はこの凹部に対して弾力的締め付け状態で定着するようになっている。だが、スリーブのこの締め付けは、単にスリーブをシャンクの凹部内で堅固に保持することが目的であり、そしてこの締め付け力は従来技術(ここでは締め付け力はそれ自身についてスリーブの移動を抑えるためのものである)のグリップスリーブが加える締め付け力よりもかなりの程度小さなものであることに留意されたい。
【００２８】
スリーブ７は、半径方向に測った距離「ｈ」だけ、その内面７ｂから中心軸線Ｘに向って半径方向に突出する凸部３０を有する。凸部３０は中心軸線Ｘに沿って測ったとき所定の厚みを有する。凸部３０はスリーブ７と一体に形成されており、かつ連続した円形リングの形態である。すなわち、それは矩形であってかつ一定の断面を有する。凸部３０は、シャンク１０の環状面１４とノーズ９の環状面２５とによって画定される本体部２のハウジング３２内に位置するよう長手方向に配置されているが、これら環状面１４および２５の半径方向の長さは、凸部３０の高さ「ｈ」よりも小さなものではない。
【００２９】
凸部３０の厚みは、本体部２が組み立てられた状態でのハウジング３２の環状面１４および２５間の距離「ｄ」よりも小さなものではなく、好ましくは、当該距離よりも、１ミリメーターの数分の一程度大きなものであり、これによってスリーブ７の凸部３０はノーズ９とシャンク１０との間に挟み込まれ、この結果、凸部３０には中心軸線Ｘに沿って圧縮力が加えられる。
【００３０】
したがって、凸部３０によって、本体部２に対するグリップスリーブ７の移動が、中心軸線Ｘに沿った平行移動あるいは半径方向の平行移動に関して、または中心軸線Ｘ周りの回転に関して、完全に阻止される。
【００３１】
凸部３０はスリーブの実質的に中央部に、すなわちスリーブの長さに沿って三分の一と三分の二の間に配置されており、これによって、スリーブが捩じれたり、あるいは部分的に分離した状態となったりする可能性が制限される。
【００３２】
円筒形内面７ｂと組み合わされたスリーブの凸部３０の連続した環形状によって、スリーブ７は容易に成形することができる。だが、スリーブ７の内周全体にわたって延在していない凸部３０を提供することを考えることも全く可能であり、あるいはスリーブの内面上で長手方向にあるいは角度的に離間したさまざまな凸部を設けることも全く可能である。当然のことながら、本体部２を形成している要素９および１０はスリーブの凸部を受けるよう構成された一つ以上のハウジングを画定でき、しかも、中心軸線に沿って長手方向に離間した複数の凸部が存在する場合には任意選択でさらなる要素を含むことができる。凸部は必ずしも中心軸線Ｘに沿って圧縮される必要はなく、中心軸線Ｘと交差する平面に対して傾いた平面内で延在する本体部２を形成している要素の面(この面は平行であっても非平行であってもよい)によって凸部を圧縮することができる点に留意されたい。
【００３３】
凸部３０を挟み込んで締め付けることによるスリーブ７の回転抑止は、グリップ領域５に配されるサイド操作ボタン３５を含む筆記用具１にとって特に有用である。さらに詳しく言うと、図示の実施形態では、サイドボタン３５は芯を押し出すためのピンサー(pincer)機構を制御し、しかもユーザーは指を筆記ポジションから移動させることなくそれを操作できる。シャンク１０はそれゆえ窓(図示せず)を有し、この窓を用いて、ボタン３５が半径方向に平行移動するようあるいは傾斜動作するよう設けられる。スリーブ７は、シャンク１０の窓と整列状態となるよう配置構成された窓３６を有し、この窓を用いてボタン３５が動作可能に配置される。窓３６は好ましくは、ボタン３５が移動している間、それとの接触を回避するような寸法を有する。スリーブ７のシャンク１０に対する回転動作が抑止されているので、窓３７の縁部の一つがボタン３５に当接して、芯の押し出しを邪魔するといったリスクは存在しない。
【００３４】
キー機能を得るためにスリーブ７に、たとえば凸部３０またはその長手方向端面の一つに、輪郭がくっきりと浮かび上がった部分(起伏部)を設け、これと共に、本体部２の要素、特にシャンク１０にキー機能を得るために対応する凹部を設けることも可能であり、これによって、スリーブ７がシャンク１０に対して確実に正確な角度配置状態となり、そしてこれら二つの部品の窓が組み立て中に確実に整列状態とさせられる。
【００３５】
本体部２とグリップスリーブ７とを一つに組み合わせるための手順は次の通りである。スリーブ７はシャンク１０の上に、その前端部１０ａを越えて係合させられるが、スリーブ７がシャンク外壁に加える締め付け力は比較的小さなものであるので、この係合は比較的容易である。スリーブ７がシャンク１０に正しく配置されたとき、すなわちスリーブの凸部３０がシャンクの面１４に当接するようになり、そしてことによるとスリーブの、輪郭がくっきりと浮かび上がったキー機能部分が、シャンクのキー機能凹部と整列状態となったとき、ノーズ９の部分１７が、その前端部からスリーブ７内に挿入される。
【００３６】
図２に示す実施形態では、この挿入は、輪郭がくっきりと浮かび上がった部分(起伏部)１８および１９が協働する場合にノーズ９がシャンク１０とスナップ方式で(カチッと音を立てて)結合するまで軸線Ｘに沿ってのみ平行移動させることによって行われ、これによってスリーブの凸部３０は既定の力で締め付けられる。
【００３７】
図３に示す実施形態では、スリーブ７内へのノーズ９の挿入は、ノーズの後端部９ｂがシャンクの半径方向面１４に対して当接するまで、シャンクのネジ山部分２２の上にノーズの雌ネジ部分２３をねじ込むことによって継続され、これによってスリーブの凸部３０は既定の力で締め付けられる。この実施形態では、ノーズ９の環状面２５に、そしてことによるとノーズ９によって形成されるハウジング３２の底面に対して凸部３０の弾性素材が加える圧縮力は、ノーズ９が早期にネジの緩んだ状態となるリスクを制限するよう機能する点に留意されたい。
【００３８】
当然のことながら、上記実施形態は決して限定を意図したものではない。上記説明から分かるように、スリーブの凸部(凸部群)の形状および筆記用具の本体部要素によって形成される対応するハウジング(ハウジング群)の構造は著しく異なるものであってもよい。さらに本体部要素は、スナップ式結合あるいはネジ式結合以外の方法で組み合わせることができ、たとえば加熱溶着によって一つに接合できる。
【図面の簡単な説明】
【００３９】
【図１】グリップスリーブを含む、本発明に係る筆記用具の側面図である。
【図２】図１の線II‐IIでの概略断面図である。
【図３】他の実施形態を示す図２と類似の図である。
【図４】図３に示すグリップスリーブの線IV‐IVでの断面図である。
【符号の説明】
【００４０】
１  筆記用具
２  本体部
３  孔
５  グリップ領域
７  グリップスリーブ
８  エンボス
９  ノーズ(第１の要素)
１０  シャンク(第２の要素)
１１  クリップ
１２  消しゴム
１４  環状面
１８  突出部(ビード)
１９  凹部
２２  雄ネジ
２３  雌ネジ
２５  環状面
３０  凸部
３２  ハウジング
３５  操作ボタン
３６,３７  窓
【図１】
2008512279.tif 000003
【図２】
2008512279.tif 000004
【図３】
2008512279.tif 000005
【図４】
2008512279.tif 000006
【国際調査報告】
2008512279.tif 000007
2008512279.tif 000008
2008512279.tif 000009
2008512279.tif 000010